(57)【要約】【課題】  神仏により購入者が守られているという感覚を認識することができないこと。【解決手段】  このお守りシステム１００は、購入者の携帯端末Ｓの表示画面に拡張現実として神仏の画像を表示するためのものであり、お寺や神社で販売されるお守り装置１０と、お守り装置１０の購入者が携帯端末Ｓを通じてアクセスするサーバ３とから構成され、お守り装置１０の購入者がサーバ３にユーザ登録することで、携帯端末の表示画面Ｓ１に神仏画像が拡張現実として表示される。これにより、ユーザは、神仏により常に守られているという実感を得ることができる。【選択図】  図１
2015019892.tif 000002
【特許請求の範囲】
【請求項１】
サーバと接続した携帯端末に神仏画像を表示させるお守りシステムであって、
お守り本体と、当該お守り本体に設けられ且つサーバへのアクセス情報、アクセス権、そのお守り本体の固有情報を有する固有情報保持部とを有するお守り装置と、
ユーザに関する情報を管理する管理部と、画像として表示する神仏の画像情報を格納する神仏画像格納部と、神仏画像の表示を制御する神仏画像表示制御部およびユーザの携帯端末で表示する神仏画像の表示方法を設定する表示方法設定部をユーザの携帯端末に構成すると共に当該携帯端末の表示画面に拡張現実を形成する拡張現実アプリケーションを格納する拡張現実アプリケーション格納部と、を有するサーバと、
を備えたことを特徴とするお守りシステム。
【請求項２】
前記お守り装置に通信部が設けられ、
拡張現実アプリケーションは、前記通信部との通信結果からお守り装置の存在を認識するお守り認識部を前記携帯端末に構成することを特徴とする請求項１に記載のお守りシステム。
【発明の詳細な説明】
【技術分野】
【０００１】
本発明は、神仏の画像により守られている実感を得られるお守りシステムに関するものである。
【背景技術】
【０００２】
従来から電子化されたお守りとして、特許文献１に記載されている通信お守りが知られている。この通信お守りは、お守りにカスタマーＩＤを付与し、このＩＤを神社に配置したリーダで読み取り、センターに登録する。これにより、特定のお守り又はお札となり、その購入者に限りかつ一定の有効期限又は回数内で継続してネット配信によって特定の神社仏閣と祈願通信できるようにして御利益パワーを取得できる。
【先行技術文献】
【特許文献】
【０００３】
【特許文献１】実用新案登録第３１６９３７４号公報
【発明の概要】
【発明が解決しようとする課題】
【０００４】
しかしながら、上記従来の通信お守りは、祈願通信することで御利益を得るものであるが、神仏により購入者が守られているという感覚を認識することができないという問題点があった。この発明は、係る問題点を解決するためになされたものである。
【課題を解決するための手段】
【０００５】
本発明のお守りシステムは、サーバと接続した携帯端末に神仏画像を表示させるお守りシステムであって、お守り本体と、当該お守り本体に設けられ且つサーバへのアクセス情報、アクセス権、そのお守り本体の固有情報を有する固有情報保持部とを有するお守り装置と、ユーザに関する情報を管理する管理部と、画像として表示する神仏の画像情報を格納する神仏画像格納部と、神仏画像の表示を制御する神仏画像表示制御部およびユーザの携帯端末で表示する神仏画像の表示方法を設定する表示方法設定部をユーザの携帯端末に構成すると共に当該携帯端末の表示画面に拡張現実を形成する拡張現実アプリケーションを格納する拡張現実アプリケーション格納部と、を有するサーバと、を備えたことを特徴とする。
【０００６】
本発明のお守りシステムは、上記発明において、前記お守り装置に通信部が設けられ、拡張現実アプリケーションは、前記通信部との通信結果からお守り装置の存在を認識するお守り認識部を前記携帯端末に構成することを特徴とする。
【図面の簡単な説明】
【０００７】
【図１】この発明の実施の形態１に係るお守りシステムを示す構成図である。
【図２】携帯端末に対する神仏画像の表示例を示す説明図である。
【図３】神仏画像の表示方法の例を示した説明図である。
【図４】この発明の実施の形態２に係るお守りシステムを示す構成図である。
【図５】お守り装置との距離による神仏画像の表示例を示す説明図である。
【発明を実施するための形態】
【０００８】
（実施の形態１）
図１は、この発明の実施の形態１に係るお守りシステムを示す構成図である。このお守りシステム１００は、購入者の携帯端末Ｓの表示画面に拡張現実（augmented reality）として神仏の画像を表示するためのものであり、お寺や神社で販売されるお守り装置１０と、お守り装置１０の購入者が携帯端末Ｓを通じてアクセスするサーバ３とから構成される。拡張現実とは、現時点におけるその周囲の現実の環境に対して任意の情報を付与することで、肉眼で見ることができる現実の世界を拡張することをいう。
【０００９】
前記お守り装置１０は、お守り本体１と、当該お守り本体１に設けられ且つ前記サーバ３へのアクセス情報、アクセス権、そのお守りの固有情報を有する固有情報保持部２とを備えている。お守り本体１は、布、紙、革等で縫製された袋状の日本の伝統的デザインを備えたものである。また、金属、シリコン等の素材により成形したものでも良い。
【００１０】
固有情報保持部２は、ＩＣチップにより電子的に情報を記憶する形態でもよいし、二次元コード等の印刷で表示された表示コードの形態でも良い。サーバ３へのアクセス情報は、例えばＵＲＬである。アクセス権は、サーバ３が提供する拡張現実サービスを利用する権限となるユーザＩＤ及び暗証番号とからなる。お守りの固有情報は、お守り装置１０毎に設定される神仏のキャラクターに関係する情報である。神仏のキャラクターには多種多様のものが設定される。例えば、釈迦如来、阿弥陀如来、薬師如来、大日如来、菩薩、明王、天等である。静止画像であっても動画であっても良い。キャラクター毎に神仏の説明がテキスト情報として付与される。
【００１１】
前記固有情報保持部２をＩＣチップで構成する場合、携帯端末Ｓと通信するための近距離通信手段が当該ＩＣチップに含まれるか又は別の回路として付加される（図示省略）。近距離通信手段としては、例えばＲＦＩＤ、ブルーツース（登録商標）等である。赤外線通信を用いても良い。携帯端末Ｓは、所謂スマートフォン、タブレット型コンピュータ、インターネット接続可能な携帯音楽プレーヤー等である。
【００１２】
サーバ３は、ユーザに関する情報を管理する管理部４と、ＡＲ画像として表示する神仏の画像情報を格納する神仏画像格納部５と、ユーザの携帯端末Ｓに送信するＡＲアプリケーションを格納するＡＲアプリケーション格納部６とを備える。サーバ３のハードウェアは、インターネットに接続可能なコンピュータでも良いし、インターネット上で提供される単数または複数のリソースとしても良い。
【００１３】
前記ＡＲアプリケーションは、インストール先の携帯端末Ｓのハードウェアと協働することで、神仏画像の表示を制御する神仏画像表示制御部７と、ユーザの携帯端末Ｓでの神仏画像の表示方法を設定する表示方法設定部８とを構成する。
【００１４】
管理部４は、販売される各お守り装置１０が有するユーザＩＤ及びこのユーザＩＤに対応する暗証番号を有する。ユーザＩＤによりお守り装置１０を特定する。また、各お守り装置１０に対して神仏のキャラクターを含む固有情報とユーザＩＤを関連付けて管理する。即ち、各お守り本体１に対してそれぞれ異なる神仏画像が割り当てられる。どの神仏が割り当てられているかは、お守り装置１０を購入する際にパッケージ等に表示する。
【００１５】
また、管理部４は、携帯端末Ｓの個体認識番号や携帯端末Ｓに記憶されているＷｅｂサービスのアカウント等の端末固有情報を用いてユーザを認識する。管理部４では、ユーザＩＤと端末固有情報とが関連付けられて登録される。管理部４でユーザＩＤと端末固有情報を登録することで、登録したユーザのみがサーバ３にアクセスできるようになる。このユーザＩＤと端末固有情報の関連性及びその登録状態は固定され、変更できない。なお、登録時の操作ミス等を考慮して、ユーザＩＤと端末固有情報との登録は複数回できるようにしても良い。
【００１６】
サーバ３は、携帯端末Ｓからの要求に応じて必要な神仏画像その他の情報を当該携帯端末Ｓに送信する。ＡＲアプリケーションがユーザの携帯端末Ｓにインストールされた状態で、神仏画像表示制御部７は、携帯端末Ｓがカメラを使用している際に当該携帯端末Ｓの画面上に神仏画像が表示されるようにする。また、神仏画像の表示方法は、前記表示方法設定部８により設定した表示方法に従って表示される。
【００１７】
次に、このお守りシステム１００の動作を説明する。図２は、携帯端末に対する神仏画像の表示例を示す説明図である。ユーザはお寺などでお守り装置１０を購入する。購入したお守り装置１０の固有情報保持部２に記憶されるユーザＩＤ等は、ユーザの携帯端末Ｓで取得される。例えば固有情報保持部２が二次元コードである場合、この二次元コードがお守り装置１０の袋中の台紙等に表示されており、この表示されている二次元コードを携帯端末Ｓのカメラで撮影する。
【００１８】
二次元コードに含まれるのは、アクセス情報、ユーザＩＤ及び暗証番号、並びにお守りの固有情報である。携帯端末Ｓは、アクセス情報に基づいてインターネット経由でサーバ３に接続し、サーバ３に対して登録画面の送信を要求する。サーバ３の管理部４は、携帯端末Ｓに登録画面を送信する。ユーザは、この登録画面にユーザＩＤと暗証番号を入力する。
【００１９】
入力された暗証番号はユーザＩＤと共にサーバ３で認証され、登録が完了する。このとき、管理部４は、携帯端末Ｓの端末固有情報を取得して前記ユーザＩＤと共に記憶し、同じユーザＩＤによる２回目以降の登録を制限する。他人がお守り装置１０からアクセス情報を入手して他の携帯端末Ｓからサーバ３にアクセスしても、登録できない。
【００２０】
登録が完了した後、ＡＲアプリケーション格納部６は、携帯端末Ｓからの要求に応じて携帯端末Ｓに対してＡＲアプリケーションを送信する。携帯端末Ｓには、受信したＡＲアプリケーションが自動的にインストールされる。ＡＲアプリケーションが携帯端末Ｓにインストールされることで、携帯端末Ｓに神仏画像表示制御部７及び表示方法設定部８が構成される。このＡＲアプリケーションは、バックグラウンドで起動することで携帯端末Ｓがサーバ３に常時アクセスする。
【００２１】
サーバ３は、神仏画像格納部５から登録したお守り装置１０の固有情報に基づき、特定の神仏画像を携帯端末Ｓに送信する。携帯端末Ｓでは、受信した神仏画像を記憶する。神仏画像表示制御部７は、図２に示すように、表示画面Ｓ１上において携帯端末Ｓのカメラ画像の一部に神仏Ｋを表示する。なお、神仏Ｋは観念的なものであるので、半透明や、色を薄めにしたり、ぼんやりとした状態の画像として表示される。
【００２２】
このようにすれば、ユーザは、神仏Ｋの画像を携帯端末Ｓで見ることで、常に神仏Ｋに見守られていることを実感できる。
【００２３】
また、神仏画像の表示方法は、表示方法設定部８により自由に設定できる。図３は、神仏画像の表示方法の例を示した説明図である。例えば、図３（ａ）に示すように、神仏の表示される時間帯を予め設定し、９時及び１７時に自動的に表示されるようにしても良い。このとき、「おつとめの時間です」のようなメッセージを神仏と共に表示させても良い。季節によって受験シーズンは学業成就のメッセージを表示するようにしても良い。さらに、購入するお守りによって、「家内安全」「交通安全」その他、お守りの目的に応じたメッセージが表示されるようにしても良い。
【００２４】
また、アラーム機能として、図３（ｂ）に示すように、「仏様のライブ配信始まります」等のアラームを表示させても良い。アラーム表示は、サーバ３から操作することができる。具体的には、サーバ３からアラーム情報を携帯端末Ｓに送信して指定した時間に携帯端末３が当該アラームの内容を表示画面Ｓ１に表示させる。このため、サーバ３には、携帯端末Ｓに対してアラーム内容・時間とアラーム用の神仏画像を送信するアラーム設定手段が設けられ、携帯端末Ｓには、ＡＲアプリケーションの一部として前記アラーム設定手段から受信したアラーム内容をその時間に神仏画像と共に表示するアラーム表示手段が構成される。
【００２５】
また、上記構成において、神仏画像格納部５から携帯端末Ｓに複数の神仏画像を送信しておき、これらの神仏画像から任意の神仏の画像が表示されるようにしても良い。
【００２６】
（実施の形態２）
図４は、この発明の実施の形態２に係るお守りシステムを示す構成図である。このお守りシステム２００は、実施の形態１のお守りシステム１００と同様の構成であるが、お守り装置１０が携帯端末Ｓ（ユーザ）の近くにあるときにのみ、神仏の画像が表示される点に特徴がある。お守りシステム２００では、お守り装置２１０に通信部２０１が設けられ、前記ＡＲアプリケーションと携帯端末Ｓとの協働により携帯端末Ｓ内にお守り認識部２０２が構成される。
【００２７】
前記通信部２０１は、例えばブルーツース（登録商標）である。携帯端末Ｓの通信機能をオンにした状態でお守り装置２１０の通信部２０１との間で通信を確立する。お守り装置２１０が近くにある場合（お守り装置２１０をユーザが持っている場合）、当該ユーザが携帯端末Ｓを操作すると、お守り認識部２０２がお守りが通信可能な距離の範囲にあるか否かを確認する。例えば、通信方式がブルーツース（登録商標）であれば、係る技術により通信が可能な範囲内にあるか否かを確認する。そして、お守り認識部２０２がお守り装置２１０を認識した場合、ユーザがお守り装置２１０を持っていると判断し、画像表示制御部７に神仏画像の表示許可を出す。前記画像表示制御部７は、お守り装置２１０が近くにある場合、携帯端末Ｓの表示画面Ｓ１に神仏画像を表示する（図５（ａ）参照）。
【００２８】
一方、お守り認識部２０２が、お守り装置２１０を認識できない場合（通信可能範囲の外にある場合）、ユーザがお守り装置２１０を持っていないと判断する。この場合、画像表示制御部７は、携帯端末Ｓの表示画面Ｓ１に神仏画像を表示しない（図５（ｂ）参照）。
【００２９】
このようにすれば、お守りをユーザが持ち歩いているとき或いは近くに置いてあるとき神仏画像を携帯端末Ｓで見ることができるので、お守りを持つことで神仏に守られていることを実感することができる。
【符号の説明】
【００３０】
１００，２００  お守りシステム
１  お守り本体
２  固有情報保持部
３  サーバ
４  管理部
５  神仏画像格納部
６  ＡＲアプリケーション格納部
７  神仏画像表示制御部
８  表示方法設定部
【図１】
2015019892.tif 000003
【図２】
2015019892.tif 000004
【図３】
2015019892.tif 000005
【図４】
2015019892.tif 000006
【図５】
2015019892.tif 000007